(57)【要約】クラブクリーナー、コンディショナーおよび保護剤は、アルファ−オレフィン類、低臭芳香族溶媒；ならびに水素異性化された高い基油およびＨＴ切断水素化分解基油からなる基油グループから選択される少なくとも１種類の基油；さらに他の（任意の）成分を含む。この製品を製造するための方法および関連するプロダクトバイプロセスも開示する。この製品は、配合されたクリーニング混合物を用いてクラブのフェースをきれいにする、および修復する一方でグリップを若返らせる。本発明は、クラブフェース上にスプレーすると、外来の物質を除去し、拭いて乾かすと、クラブのフェースを土、草および肥料に関連する化学物質により引き起こされるざらざらした汚れから保護する。実験的な試験において、本発明はサイドスピンを低減させバックスピンを増大させることによりドライブの距離を増大させる。クラブは工場様仕上げの状態のままにされ、それは汚れを拭いてきれいにするのを容易にする。本発明は、グリップに適用すると、表面を修復して新しい感触にする。【選択図】なし【特許請求の範囲】
【請求項１】
距離を向上させゴルフのスコアを下げるための、次のものを含む万能合成ゴルフクラブクリーナーおよび保護剤：
アルファ−オレフィン類；
低臭芳香族溶媒；ならびに
水素異性化された高い基油およびＨＴ厳しく水素化分解された基油からなる基油グループから選択される少なくとも１種類の基油。
【請求項２】
さらに次のものを含む、請求項１に記載の万能合成ゴルフクラブクリーナーおよび保護剤：
低引火ミネラルスピリット。
【請求項３】
さらに次のものを含む、請求項２に記載の万能合成ゴルフクラブクリーナーおよび保護剤：
スルホン酸カルシウム類。
【請求項４】
さらに次のものを含む、請求項２に記載の万能合成ゴルフクラブクリーナーおよび保護剤：
メチル−イソブチルケトン類；および
溶媒で活性化した芳香剤。
【請求項５】
さらに次のものを含む、請求項４に記載の万能合成ゴルフクラブクリーナーおよび保護剤：
溶媒で活性化した染料。
【請求項６】
さらに次のものを含む、請求項３に記載の万能合成ゴルフクラブクリーナーおよび保護剤：
メチル−イソブチルケトン類；および
溶媒で活性化した芳香剤。
【請求項７】
さらに次のものを含む、請求項６に記載の万能合成ゴルフクラブクリーナーおよび保護剤：
溶媒で活性化した染料。
【請求項８】
さらに次のものを含む、請求項４に記載の万能合成ゴルフクラブクリーナーおよび保護剤：
少なくとも１種類のフッ素添加剤。
【請求項９】
さらに次のものを含む、請求項５に記載の万能合成ゴルフクラブクリーナーおよび保護剤：
少なくとも１種類のフッ素添加剤。
【請求項１０】
さらに次のものを含む、請求項６に記載の万能合成ゴルフクラブクリーナーおよび保護剤：
少なくとも１種類のフッ素添加剤。
【請求項１１】
さらに次のものを含む、請求項７に記載の万能合成ゴルフクラブクリーナーおよび保護剤：
少なくとも１種類のフッ素添加剤。
【請求項１２】
請求項５に記載の万能合成ゴルフクラブクリーナーおよび保護剤であって：
前記の溶媒で活性化した染料がポリマー色形成化合物のアルコール（ＮＡＨＡ）溶液を含み；
前記の溶媒で活性化した芳香剤がアルコール芳香エッセンス（ＨＡまたはＮＡＨＡ）溶液を含む、万能合成ゴルフクラブクリーナーおよび保護剤。
【請求項１３】
請求項７に記載の万能合成ゴルフクラブクリーナーおよび保護剤であって：
前記の溶媒で活性化した染料がポリマー色形成化合物のアルコール（ＮＡＨＡ）溶液を含み；
前記の溶媒で活性化した芳香剤がアルコール芳香エッセンス（ＨＡまたはＮＡＨＡ）溶液を含む、万能合成ゴルフクラブクリーナーおよび保護剤。
【請求項１４】
請求項１に記載の万能合成ゴルフクラブクリーナーおよび保護剤であって、前記合成ゴルフクラブクリーナーおよび保護剤の成分が、前記アルファ−オレフィン類；前記低臭芳香族溶媒；前記の少なくとも１種類の基油；低引火ミネラルスピリット；スルホン酸カルシウム類；溶媒で活性化した染料；メチル−イソブチルケトン類；溶媒で活性化した芳香剤；およびフッ素添加剤からなる場合に：
前記アルファ−オレフィン類が、それの５〜３０重量パーセントを構成し；
前記低臭芳香族溶媒が、それの２〜２５重量パーセントを構成し；および
前記の少なくとも１種類の基油が、それの７〜３５重量パーセントを構成し；ここで：
前記合成ゴルフクラブクリーナーおよび保護剤の前記成分の１種類以上が省かれた場合、前記重量百分率が比例して増大する、万能合成ゴルフクラブクリーナーおよび保護剤。
【請求項１５】
請求項２に記載の万能合成ゴルフクラブクリーナーおよび保護剤であって、前記合成ゴルフクラブクリーナーおよび保護剤の成分が、前記アルファ−オレフィン類；前記低臭芳香族溶媒；前記の少なくとも１種類の基油；前記低引火ミネラルスピリット；スルホン酸カルシウム類；溶媒で活性化した染料；メチル−イソブチルケトン類；溶媒で活性化した芳香剤；およびフッ素添加剤からなる場合に：
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；および
前記低引火ミネラルスピリットが、それの１５〜６０重量パーセントを構成し；ここで：
前記合成ゴルフクラブクリーナーおよび保護剤の前記成分の１種類以上が省かれた場合、前記重量百分率が比例して増大する、万能合成ゴルフクラブクリーナーおよび保護剤。
【請求項１６】
請求項３に記載の万能合成ゴルフクラブクリーナーおよび保護剤であって、前記合成ゴルフクラブクリーナーおよび保護剤の成分が、前記アルファ−オレフィン類；前記低臭芳香族溶媒；前記の少なくとも１種類の基油；前記低引火ミネラルスピリット；スルホン酸カルシウム類；溶媒で活性化した染料；メチル−イソブチルケトン類；溶媒で活性化した芳香剤；およびフッ素添加剤からなる場合に：
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；
前記低引火ミネラルスピリットが、それの１５〜６０重量パーセントを構成し；および
前記スルホン酸カルシウム類が、それの０．０５〜１．２５重量パーセントを構成し；ここで：
前記合成ゴルフクラブクリーナーおよび保護剤の前記成分の１種類以上が省かれた場合、前記重量百分率が比例して増大する、万能合成ゴルフクラブクリーナーおよび保護剤。
【請求項１７】
請求項４に記載の万能合成ゴルフクラブクリーナーおよび保護剤であって、前記合成ゴルフクラブクリーナーおよび保護剤の成分が、前記アルファ−オレフィン類；前記低臭芳香族溶媒；前記の少なくとも１種類の基油；前記低引火ミネラルスピリット；スルホン酸カルシウム類；溶媒で活性化した染料；メチル−イソブチルケトン類；溶媒で活性化した芳香剤；およびフッ素添加剤からなる場合に：
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；および
前記低引火ミネラルスピリットが、それの１５〜６０重量パーセントを構成し；
前記メチル−イソブチルケトン類が、それの３．０〜２５重量パーセントを構成し；および
前記の溶媒で活性化した芳香剤が、それの０．００１〜０．００５重量パーセントを構成し；ここで：
前記合成ゴルフクラブクリーナーおよび保護剤の前記成分の１種類以上が省かれた場合、前記重量百分率が比例して増大する、万能合成ゴルフクラブクリーナーおよび保護剤。
【請求項１８】
請求項５に記載の万能合成ゴルフクラブクリーナーおよび保護剤であって、前記合成ゴルフクラブクリーナーおよび保護剤の成分が、前記アルファ−オレフィン類；前記低臭芳香族溶媒；前記の少なくとも１種類の基油；前記低引火ミネラルスピリット；スルホン酸カルシウム類；溶媒で活性化した染料；メチル−イソブチルケトン類；溶媒で活性化した芳香剤；およびフッ素添加剤からなる場合に：
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；および
前記低引火ミネラルスピリットが、それの１５〜６０重量パーセントを構成し；
前記メチル−イソブチルケトン類が、それの３．０〜２５重量パーセントを構成し；
前記の溶媒で活性化した芳香剤が、それの０．００１〜０．００５重量パーセントを構成し；および
前記の溶媒で活性化した染料が、それの０．００２〜０．００５重量パーセントを構成し；ここで：
前記合成ゴルフクラブクリーナーおよび保護剤の前記成分の１種類以上が省かれた場合、前記重量百分率が比例して増大する、万能合成ゴルフクラブクリーナーおよび保護剤。
【請求項１９】
請求項６に記載の万能合成ゴルフクラブクリーナーおよび保護剤であって、前記合成ゴルフクラブクリーナーおよび保護剤の成分が、前記アルファ−オレフィン類；前記低臭芳香族溶媒；前記の少なくとも１種類の基油；前記低引火ミネラルスピリット；スルホン酸カルシウム類；溶媒で活性化した染料；メチル−イソブチルケトン類；溶媒で活性化した芳香剤；およびフッ素添加剤からなる場合に：
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；
前記低引火ミネラルスピリットが、それの１５〜６０重量パーセントを構成し；
前記スルホン酸カルシウム類が、それの０．０５〜１．２５重量パーセントを構成し；
前記メチル−イソブチルケトン類が、それの３．０〜２５重量パーセントを構成し；および
前記の溶媒で活性化した芳香剤が、それの０．００１〜０．００５重量パーセントを構成し；ここで：
前記合成ゴルフクラブクリーナーおよび保護剤の前記成分の１種類以上が省かれた場合、前記重量百分率が比例して増大する、万能合成ゴルフクラブクリーナーおよび保護剤。
【請求項２０】
請求項７に記載の万能合成ゴルフクラブクリーナーおよび保護剤であって、前記合成ゴルフクラブクリーナーおよび保護剤の成分が、前記アルファ−オレフィン類；前記低臭芳香族溶媒；前記の少なくとも１種類の基油；前記低引火ミネラルスピリット；スルホン酸カルシウム類；溶媒で活性化した染料；メチル−イソブチルケトン類；溶媒で活性化した芳香剤；およびフッ素添加剤からなる場合に：
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；
前記低引火ミネラルスピリットが、それの１５〜６０重量パーセントを構成し；
前記スルホン酸カルシウム類が、それの０．０５〜１．２５重量パーセントを構成し；
前記メチル−イソブチルケトン類が、それの３．０〜２５重量パーセントを構成し；
前記の溶媒で活性化した芳香剤が、それの０．００１〜０．００５重量パーセントを構成し；および
前記の溶媒で活性化した染料が、それの０．００２〜０．００５重量パーセントを構成し；ここで：
前記合成ゴルフクラブクリーナーおよび保護剤の前記成分の１種類以上が省かれた場合、前記重量百分率が比例して増大する、万能合成ゴルフクラブクリーナーおよび保護剤。
【請求項２１】
請求項８に記載の万能合成ゴルフクラブクリーナーおよび保護剤であって、前記合成ゴルフクラブクリーナーおよび保護剤の成分が、前記アルファ−オレフィン類；前記低臭芳香族溶媒；前記の少なくとも１種類の基油；前記低引火ミネラルスピリット；スルホン酸カルシウム類；溶媒で活性化した染料；メチル−イソブチルケトン類；溶媒で活性化した芳香剤；およびフッ素添加剤からなる場合に：
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；および
前記低引火ミネラルスピリットが、それの１５〜６０重量パーセントを構成し；
前記メチル−イソブチルケトン類が、それの３．０〜２５重量パーセントを構成し；および
前記の溶媒で活性化した芳香剤が、それの０．００１〜０．００５重量パーセントを構成し；および
前記の少なくとも１種類のフッ素添加剤が、それの０．０１２〜０．０９７重量パーセントを構成し；ここで：
前記合成ゴルフクラブクリーナーおよび保護剤の前記成分の１種類以上が省かれた場合、前記重量百分率が比例して増大する、万能合成ゴルフクラブクリーナーおよび保護剤。
【請求項２２】
請求項９に記載の万能合成ゴルフクラブクリーナーおよび保護剤であって、前記合成ゴルフクラブクリーナーおよび保護剤の成分が、前記アルファ−オレフィン類；前記低臭芳香族溶媒；前記の少なくとも１種類の基油；前記低引火ミネラルスピリット；スルホン酸カルシウム類；溶媒で活性化した染料；メチル−イソブチルケトン類；溶媒で活性化した芳香剤；およびフッ素添加剤からなる場合に：
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；および
前記低引火ミネラルスピリットが、それの１５〜６０重量パーセントを構成し；
前記メチル−イソブチルケトン類が、それの３．０〜２５重量パーセントを構成し；
前記の溶媒で活性化した芳香剤が、それの０．００１〜０．００５重量パーセントを構成し；
前記の溶媒で活性化した染料が、それの０．００２〜０．００５重量パーセントを構成し；および
前記の少なくとも１種類のフッ素添加剤が、それの０．０１２〜０．０９７重量パーセントを構成し；ここで：
前記合成ゴルフクラブクリーナーおよび保護剤の前記成分の１種類以上が省かれた場合、前記重量百分率が比例して増大する、万能合成ゴルフクラブクリーナーおよび保護剤。
【請求項２３】
請求項１０に記載の万能合成ゴルフクラブクリーナーおよび保護剤であって、前記合成ゴルフクラブクリーナーおよび保護剤の成分が、前記アルファ−オレフィン類；前記低臭芳香族溶媒；前記の少なくとも１種類の基油；前記低引火ミネラルスピリット；スルホン酸カルシウム類；溶媒で活性化した染料；メチル−イソブチルケトン類；溶媒で活性化した芳香剤；およびフッ素添加剤からなる場合に：
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；
前記低引火ミネラルスピリットが、それの１５〜６０重量パーセントを構成し；
前記スルホン酸カルシウム類が、それの０．０５〜１．２５重量パーセントを構成し；
前記メチル−イソブチルケトン類が、それの３．０〜２５重量パーセントを構成し；
前記の溶媒で活性化した芳香剤が、それの０．００１〜０．００５重量パーセントを構成し；および
前記の少なくとも１種類のフッ素添加剤が、それの０．０１２〜０．０９７重量パーセントを構成し；ここで：
前記合成ゴルフクラブクリーナーおよび保護剤の前記成分の１種類以上が省かれた場合、前記重量百分率が比例して増大する、万能合成ゴルフクラブクリーナーおよび保護剤。
【請求項２４】
請求項１１に記載の万能合成ゴルフクラブクリーナーおよび保護剤であって、ここで：
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；
前記低引火ミネラルスピリットが、それの１５〜６０重量パーセントを構成し；
前記スルホン酸カルシウム類が、それの０．０５〜１．２５重量パーセントを構成し；
前記メチル−イソブチルケトン類が、それの３．０〜２５重量パーセントを構成し；
前記の溶媒で活性化した芳香剤が、それの０．００１〜０．００５重量パーセントを構成し；
前記の溶媒で活性化した染料が、それの０．００２〜０．００５重量パーセントを構成し；および
前記の少なくとも１種類のフッ素添加剤が、それの０．０１２〜０．０９７重量パーセントを構成する、万能合成ゴルフクラブクリーナーおよび保護剤。
【請求項２５】
次のことを含む方法により製造される、請求項２に記載の万能合成ゴルフクラブクリーナーおよび保護剤：
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；ならびに
前記ミネラルスピリットを前記第１ブレンドに添加する。
【請求項２６】
次のことを含む方法により製造される、請求項３に記載の万能合成ゴルフクラブクリーナーおよび保護剤：
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記ミネラルスピリットおよび前記スルホン酸カルシウム類を別にブレンドし、それにより第３ブレンドを製造し；ならびに
前記第３ブレンドを前記第１ブレンドに添加する。
【請求項２７】
次のことを含む方法により製造される、請求項４に記載の万能合成ゴルフクラブクリーナーおよび保護剤：
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記メチル−イソブチルケトン類および前記の溶媒で活性化した芳香剤を別にブレンドし、それにより第２ブレンドを製造し；ならびに
前記第２ブレンドおよび前記ミネラルスピリットを前記第１ブレンドに添加する。
【請求項２８】
次のことを含む方法により製造される、請求項５に記載の万能合成ゴルフクラブクリーナーおよび保護剤：
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記メチル−イソブチルケトン類、前記の溶媒で活性化した芳香剤、および前記の溶媒で活性化した染料を別にブレンドし、それにより第２ブレンドを製造し；ならびに
前記第２ブレンドおよび前記ミネラルスピリットを前記第１ブレンドに添加する。
【請求項２９】
次のことを含む方法により製造される、請求項６に記載の万能合成ゴルフクラブクリーナーおよび保護剤：
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記メチル−イソブチルケトン類および前記の溶媒で活性化した芳香剤を別にブレンドし、それにより第２ブレンドを製造し；
前記ミネラルスピリットおよび前記スルホン酸カルシウム類を別にブレンドし、それにより第３ブレンドを製造し；ならびに
前記第２および前記第３ブレンドを前記第１ブレンドに添加する。
【請求項３０】
次のことを含む方法により製造される、請求項７に記載の万能合成ゴルフクラブクリーナーおよび保護剤：
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記メチル−イソブチルケトン類、前記の溶媒で活性化した芳香剤、および前記の溶媒で活性化した染料を別にブレンドし、それにより第２ブレンドを製造し；
前記ミネラルスピリットおよび前記スルホン酸カルシウム類を別にブレンドし、それにより第３ブレンドを製造し；ならびに
前記第２および前記第３ブレンドを前記第１ブレンドに添加する。
【請求項３１】
次のことを含む方法により製造される、請求項８に記載の万能合成ゴルフクラブクリーナーおよび保護剤：
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記メチル−イソブチルケトン類、前記の溶媒で活性化した芳香剤、および前記の少なくとも１種類のフッ素添加剤を別にブレンドし、それにより第２ブレンドを製造し；ならびに
前記第２ブレンドおよび前記ミネラルスピリットを前記第１ブレンドに添加する。
【請求項３２】
次のことを含む方法により製造される、請求項９に記載の万能合成ゴルフクラブクリーナーおよび保護剤：
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記メチル−イソブチルケトン類、前記の溶媒で活性化した芳香剤、前記の溶媒で活性化した染料、および前記の少なくとも１種類のフッ素添加剤を別にブレンドし、それにより第２ブレンドを製造し；ならびに
前記第２ブレンドおよび前記ミネラルスピリットを前記第１ブレンドに添加する。
【請求項３３】
次のことを含む方法により製造される、請求項１０に記載の万能合成ゴルフクラブクリーナーおよび保護剤：
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記メチル−イソブチルケトン類、前記の溶媒で活性化した芳香剤、および前記の少なくとも１種類のフッ素添加剤を別にブレンドし、それにより第２ブレンドを製造し；
前記ミネラルスピリットおよび前記スルホン酸カルシウム類を別にブレンドし、それにより第３ブレンドを製造し；ならびに
前記第２および前記第３ブレンドを前記第１ブレンドに添加する。
【請求項３４】
次のことを含む方法により製造される、請求項１１に記載の万能合成ゴルフクラブクリーナーおよび保護剤：
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記メチル−イソブチルケトン類、前記の溶媒で活性化した芳香剤、前記の溶媒で活性化した染料、および前記の少なくとも１種類のフッ素添加剤を別にブレンドし、それにより第２ブレンドを製造し；
前記ミネラルスピリットおよび前記スルホン酸カルシウム類を別にブレンドし、それにより第３ブレンドを製造し；ならびに
前記第２および前記第３ブレンドを前記第１ブレンドに添加する。
【請求項３５】
次のことを含む、万能合成ゴルフクラブクリーナーおよび保護剤を製造する方法：
アルファ−オレフィン類、低臭芳香族溶媒、および少なくとも１種類の基油を、ブレンドが見た目に全く分離しない調和した混合物になるまでブレンドし、それにより第１ブレンドを製造し；ならびに
前記ミネラルスピリットを前記第１ブレンドに添加する。
【請求項３６】
さらに次のことを含む、請求項３５に記載の方法：
前記ミネラルスピリットおよびスルホン酸カルシウム類を別にブレンドし、それにより第３ブレンドを製造し；ならびに
前記第３ブレンドを前記第１ブレンドに添加する。
【請求項３７】
さらに次のことを含む、請求項３５に記載の方法：
メチル−イソブチルケトン類および溶媒で活性化した芳香剤を別にブレンドし、それにより第２ブレンドを製造し；ならびに
前記第２ブレンドおよびミネラルスピリットを前記第１ブレンドに添加する。
【請求項３８】
さらに次のことを含む、請求項３５に記載の方法：
メチル−イソブチルケトン類、溶媒で活性化した芳香剤、および溶媒で活性化した染料を別にブレンドし、それにより第２ブレンドを製造し；ならびに
前記第２ブレンドおよびミネラルスピリットを前記第１ブレンドに添加する。
【請求項３９】
さらに次のことを含む、請求項３７に記載の方法：
前記ミネラルスピリットおよび前記スルホン酸カルシウム類を別にブレンドし、それにより第３ブレンドを製造し；ならびに
前記第２および第３ブレンドを前記第１ブレンドに添加する。
【請求項４０】
さらに次のことを含む、請求項３８に記載の方法：
ミネラルスピリットおよびスルホン酸カルシウム類を別にブレンドし、それにより第３ブレンドを製造し；ならびに
前記第２および第３ブレンドを前記第１ブレンドに添加する。
【請求項４１】
次のことを含む、請求項３７に記載の方法：
前記メチル−イソブチルケトン類、前記の溶媒で活性化した芳香剤、および前記の少なくとも１種類のフッ素添加剤を別にブレンドし、それにより前記第２ブレンドを製造する。
【請求項４２】
さらに次のことを含む、請求項３８に記載の方法：
メチル−イソブチルケトン類、溶媒で活性化した芳香剤、溶媒で活性化した染料、および少なくとも１種類のフッ素添加剤を別にブレンドし、それにより前記第２ブレンドを製造する。
【請求項４３】
さらに次のことを含む、請求項３９に記載の方法：
メチル−イソブチルケトン類、溶媒で活性化した芳香剤、および少なくとも１種類のフッ素添加剤を別にブレンドし、それにより前記第２ブレンドを製造する。
【請求項４４】
さらに次のことを含む、請求項４０に記載の方法：
メチル−イソブチルケトン類、溶媒で活性化した芳香剤、溶媒で活性化した染料、および少なくとも１種類のフッ素添加剤を別にブレンドし、それにより前記第２ブレンドを製造する。
【発明の詳細な説明】
【技術分野】
【０００１】
この発明は、ゴルフの全米ゴルフ協会（Ｕｎｉｔｅｄ  Ｓｔａｔｅｓ  Ｇｏｌｆ  Ａｓｓｏｃｉａｔｉｏｎ）（ＵＳＧＡ）および全英ゴルフ協会（Ｒｏｙａｌ  ａｎｄ  Ａｎｃｉｅｎｔ  Ｇｏｌｆ  Ａｓｓｏｃｉａｔｉｏｎ）（Ｒ＆Ａ）のルールの下で許容できる方法で、ゴルフクラブフェースをきれいにし、一方でグリップを若返らせる製品、ならびに関連する方法およびプロダクトバイプロセスに関する。
【背景技術】
【０００２】
様々なタイプのゴルフクラブクリーナーが周知である。それらは様々なブラシ、剛毛ならびに他の石鹸および水溶液を用いるごしごしこするための道具を含む。これらの道具は外来の破片の大部分を除去するが、それらは表面を工場様仕上げ（ｆａｃｔｏｒｙ−ｌｉｋｅ  ｆｉｎｉｓｈ）まで修復することはせず、それらはクラブのフェースに保護表面を残すこともしない。ゴルフクラブのフェースの表面は、土および草に含まれるざらざらした要素にさらされる。土および草に含まれるその要素には、フェアウェーをより魅力的な外観のために肥沃にするのに用いられる化学物質からの残留物が含まれる。これらの要素はクラブの表面に付着し、ゆがみを引き起こし、それは増大したサイドスピンを引き起こす一方でゴルファーに望まれるバックスピンを低減させることが示されている。さらに、グリップが乾ききりそれらのしなやかさを失うと、グリップはボールとの接触がなされた際に滑り、またはねじれ、低減されたバックスピンおよびしばしば増大されたサイドスピンを引き起こし；結果としてフッキング（ｈｏｏｋｉｎｇ）やスライシング（ｓｌｉｃｉｎｇ）を引き起こし得る。
【０００３】
本発明の新規性または発明性に特に関連が無い、当技術の全般的な状態を定める様々な文書には、米国特許：第４，４７２，８５１号；第５，０５４，１５３号；第５，１９５，７４３号；第５，３８５，１６０号；第５，４０４，６１０号；第５，７８７，５３９号；第６，４３０，７７０号；第６，７３３，０１６号；および第７，１６２，７６６号が含まれる。
【０００４】
クラブフェースをきれいにし、および修復し、それを土の中の天然の、および外来の要素に対して耐性にし、一方でクラブのグリップを新しい感触に若返らせるであろう配合物を提供するのが望ましいであろう。
【０００５】
その配合物の製造のための適切な方法を開発するのがさらに望ましい。
【先行技術文献】
【特許文献】
【０００６】
【特許文献１】米国特許第４，４７２，８５１号
【特許文献２】米国特許第５，０５４，１５３号
【特許文献３】米国特許第５，１９５，７４３号
【特許文献４】米国特許第５，３８５，１６０号
【特許文献５】米国特許第５，４０４，６１０号
【特許文献６】米国特許第５，７８７，５３９号
【特許文献７】米国特許第６，４３０，７７０号
【特許文献８】米国特許第６，７３３，０１６号
【特許文献９】米国特許第７，１６２，７６６号
【発明の概要】
【０００７】
本明細書において、ゴルフをする際のサイドスピンを低減させる一方でバックスピンを増大させるように配合され、それが結果としてゴルフコース上でのより長い、およびより真っ直ぐなドライブ（ｄｒｉｖｅ）をもたらし得るゴルフクラブクリーナー、コンディショナーおよび保護剤製品を開示する。クラブクリーナー、コンディショナーおよび保護剤は、アルファ−オレフィン類、低臭芳香族溶媒；ならびに水素異性化された高い基油およびＨＴ切断水素化分解基油（ＨＴ  Ｓｅｖｅｒ  Ｈｙｄｒｏ−ｃｒａｃｋｅｄ  Ｂａｓｅ  ｏｉｌｓ）からなる基油グループから選択される少なくとも１種類の基油；さらに他の（採用されてもよい）成分を含む。この製品を製造するための方法および関連するプロダクトバイプロセスも開示する。本発明は、クラブフェース上にスプレーすると、外来の物質を除去し、拭いて乾かすと、クラブのフェースを土、草および肥料に関連する化学物質により引き起こされるざらざらした汚れから保護する。実験的な試験において、本発明はサイドスピンを低減させバックスピンを増大させることによりドライブの距離を増大させる。クラブは工場様仕上げの状態のままにされ、それは汚れを拭いてきれいにするのを容易にする。本発明は、グリップに適用すると、表面を修復して新しい感触にする。
【発明を実施するための形態】
【０００８】
本発明は、クラブフェースおよびグリップをきれいにするだけで無く、修復してクラブのフェースの結晶表面の中に埋め込まれる微細な保護層を加える一方で、グリップの表面を若返らせる、および修復するであろうクリーニング製品の使用に関する。製品は合成および非合成グリップを含む全てのタイプのクラブについて有用性を有する。本発明は機密条件の下でＵＳＧＡおよびＲ＆Ａゴルフ協会の両方に提出されており、この製品は”ゴルフのルールの下で許可された”、”ゴルフのルールの下で差し支えない”、およびそれは”ゴルフのルールに従う”と考えられている。本発明はさらに土がつかないこと（ｓｏｉｌ−ｒｅｐｅｌｌｅｎｃｙ）が示されており、一方で使用者にクリーニングの容易さを与える。
【０００９】
主成分
完成した製品（本発明の好ましい態様）は、次のものを含む：
・アルファ−オレフィン類：これはアルケン類、重合した、Ｃｈｌｏｒｏｗａｘ液および塩素化パラフィンとしても知られており、その炭素鎖の長さは１２〜２４であり、塩素重量百分率は２１．４％から７０％までであり、摂氏２５度における比重は１．０５０〜１．５０であり、ＨＣＬのＪＱＤ重量百分率は０．２０〜０．６０最大である。上記の成分の主要な用途は、潤滑配合物、潤滑添加化合物、および極圧添加配合物のため、ならびに金属加工用化合物のためのものである。
【００１０】
・低臭芳香族溶媒：これは主成分であり、それは塗料、ワニス、食品グレードのコーティング、接着剤、希釈剤、シンナー、農薬、家庭用殺虫剤、スプレー油および特殊化学品に理想的である高度に精製された、低毒性、低臭の溶媒である。芳香族の百分率は５％〜４０％である（ＥＣ−Ａ−ＧＯ４）。これらは、摂氏２０〜８０度の引火点（ＡＳＴＭ  Ｄ−９３）、および摂氏３０度（プラス／マイナス）における０．６００〜０．９００の密度（ＡＳＴＭ  Ｄ−４０５２）を有する。
【００１１】
・水素異性化された高い基油またはＨＴ厳しく水素化分解された基油（ＨＴ  Ｓｅｖｅｒｅ  Ｈｙｄｒｏ−ｃｒａｃｋｅｄ  Ｂａｓｅ  ｏｉｌｓ）：この主成分は、芳香族化合物および不純物の含有量が少ない、または全く無い、厳しく水素化分解された、または水素異性化された基油であり、供給原材を水素と化学的に反応させて（３０００  Ｐ．Ｓ．Ｉ．）硫黄、窒素および酸素を含む極性化合物を低減させ、または除去し、芳香族炭化水素を飽和環式炭化水素に変換し、重い多環式パラフィン分子を軽い飽和炭化水素に分割することにより得られる。これは水素仕上げされた（ｈｙｄｒｏ−ｆｉｎｉｓｈｅｄ  ｏｒ  ｈｙｄｒｏ−ｐｏｌｉｓｈｅｄ）分画された油を含んでいてよい。基油は多数の潤滑油、モーター油、切削油、食品加工用、医薬用、工業用、農業用潤滑剤および極圧添加剤において用いることができる。これらはクラブフェースの保護仕上げを増し、グリップの寿命を延ばした。
【００１２】
・低引火ミネラルスピリット（Ｍｉｎｅｒａｌ  Ｓｐｉｒｉｔｓ）：ストッダード溶媒（Ｓｔｏｄｄａｒｄ  Ｓｏｌｖｅｎｔ）および／またはホワイトスピリット（Ｗｈｉｔｅ’ｓ  Ｓｐｉｒｉｔｓ）と呼ばれる。この任意だが非常に望ましい成分は一般に、家庭用および商業用の用途のための抽出溶媒、クリーニング溶媒、エアロゾル、塗料、ラッカー、ワニスおよび塗料用シンナー中の溶媒として用いられ、飽和脂肪族および脂環式のＣ７〜Ｃ１２の最大４０％での混合物を用いる水素化脱硫溶媒抽出を受けてきた。引火点は摂氏１５から４０度まで、アニリン点は摂氏５０から８０度まで、蒸気密度は３．５〜６．０（大気は１である）、および粘度（ｃｐｓ．、摂氏２５度）は０．７０から１．７５までの範囲である。これは時々燃料システム内部の構成要素をきれいにするためのクリーニング溶媒として用いられる。
【００１３】
組み合わせて働かせると、前記の成分はそれに対して適用した際にゴルフクラブフェースの保護のクリーニングの望まれる効果を得、グリップに適用すると、グリップを”新しい”感触に修復する。
【００１４】
他の成分
・ＯＰＴ合成スルホン酸カルシウム類：１００〜６００のＴＢＮを有する過塩基性（ｏｖｅｒｂａｓｅｄ）スルホン酸カルシウム類、その主目的は鉄および非鉄金属に腐食保護、分散剤および油溶性添加剤中での洗浄性を与える極圧添加配合物のためのものであり、１０．００〜２０．００％の最小カルシウム重量、１００〜６００の全塩基価、ｍｇ  ＫＯＨ／ｇ  （ＡＳＴＭ  Ｄ−２８９６）および８００〜１２００の平均分子量（ＡＳＴＭ  Ｄ−３７１２）を有する。
【００１５】
・メチル−イソブチルケトン類（ＭＩＢＫ）：式  Ｃ６Ｈ１２）ＣＡＳ  １０８−１０−１、引火性の液体。ＭＩＢＫは一般にビニル、エポキシ、アクリルおよび天然樹脂、ニトロセルロース、塗料、ワニス、ラッカー、保護コーティング、レアメタルの抽出ならびに染料のための溶媒として用いられる。さらに、それらは一般に抗生物質、ドライクリーニング調製品の製造およびメチルイソブチルカルビノールの合成において用いられる。ＭＩＢＫは天然に、オレンジ類、ブドウ類および酢の中に存在する。それは無色であり、低い沸点を有し、水、アルコール類、ほとんどの炭化水素および他の有機性の液体と、ある割合で混和可能である。ＭＩＢＫは摂氏１４度の引火点を有する。ＭＩＢＫはアセトン類からダイマー化した（ｄｉｍｅｒｉｓｅｄ）アルコールのジアセトンアルコールへの縮合を含む３工程のプロセスにより製造される。さらに、ジアセトン類は容易に水和してメシチルオキシド類を与える。次いでメシチルオキシド類を水素添加してＭＩＢＫにすることができる。ＭＩＢＫは変性アルコール類のための変性剤として用いられ、それ自体ゴルフのルールに従うのに必要な急速乾燥剤に向いている。
【００１６】
・溶媒で活性化した芳香剤：０．００５％〜１％のＨＡまたはＮＡＨＡを含む、アルコールで濃縮した芳香エッセンス。有効成分は細菌の増殖を妨げ、特定の化合物の化学的な臭いを隠すための選択的な芳香の使用を維持するための分子封入剤（固定剤）を含む。
【００１７】
・溶媒で活性化した染料：ポリマー色形成化合物のアルコール（ＮＡＨＡ）溶液。これらは一般に、燃料および潤滑剤のグレードまたは指定された用途を同定するために用いられる。それらは粉末および液体の形の両方で製造され、製品に導入された際に安定であり、製品に同定可能な色を残す。
【００１８】
・ポリテトラフルオロエチレン（フッ素添加剤）：ＣＡＳ  Ｎｏ  ９００２−８４−０。フッ素添加剤はコロイドの形の有機性ポリマーであり、溶媒基礎化合物の中にブレンドして適用すると、水または風化条件に対して高度に耐性である。
【００１９】
前記の成分のそれぞれは、クラブフェースをきれいにし、保護する、およびグリップを修復するための製品の全体的な性能をさらに向上させる。
好ましいブレンド比率
それぞれの構成要素に関する好ましいブレンド比率を下記に示す。下記の百分率の範囲内に入る構成要素のブレンドを維持するのが重要である。下記に示す成分の１種類以上がゴルフクラブクリーナーおよび保護剤から省かれた場合、残りの成分の重量百分率が比例して増大することに注意すべきである：
アルファ−オレフィン類：５〜３０重量％、好ましくは７．０〜２５重量％、より好ましくは９．０〜１８重量％。最も好ましいのは１３．５重量％である。
【００２０】
低臭芳香族溶媒：２〜２５重量％、好ましくは４．５〜１８重量％、より好ましくは７〜１４重量％。最も好ましいのは９．４重量％である。
水素異性化された高い基油またはＨＴ厳しく水素化分解された基油：７〜３５重量％、好ましくは１０〜３２重量％、より好ましくは１５〜３０重量％。最も好ましいのは２６．５重量％である。
【００２１】
低引火ミネラルスピリット：１５〜６０重量％、好ましくは２０〜５５重量％、より好ましくは２５〜４９重量％。最も好ましいのは４０重量％である。
ＯＰＴ合成スルホン酸カルシウム類：０．０５〜１．２５重量％、好ましくは０．２０〜０．９７重量％、より好ましくは０．４０〜０．７２重量％。最も好ましいのは０．６２５重量％である。
【００２２】
メチル−イソブチルケトン類：３．０〜２５重量％、好ましくは５〜２０重量％、より好ましくは７〜１６重量％。最も好ましいのは１０重量％である。
溶媒で活性化した芳香剤：０．００１〜０．００５重量％、好ましくは０．００１５〜０．００４重量％、より好ましくは０．００１７５〜０．００３重量％。最も好ましいのは０．００２重量％である。
【００２３】
溶媒で活性化した染料：０．００２〜０．００５重量％、好ましくは０．００２５〜０．００４重量％、より好ましくは０．０２７〜０．０３５重量％。最も好ましいのは０．００３重量％である。
【００２４】
ポリテトラフルオロエチレン（フッ素添加剤）：０．０１２〜０．０９７重量％、好ましくは０．０２２〜０．０８２５重量％、より好ましくは０．０４２〜０．０７１重量％。最も好ましいのは０．０６２５重量％である。
【００２５】
構成要素をブレンドする好ましい順序
最初のブレンド（第１ブレンド）は、ポリアルファオレフィン類、低臭芳香族溶媒および基油を必要とし、液体が見た目に全く分離しない調和した混合物になるまでブレンドされるであろう。ブレンドは攪拌機の速度に基づき、温度はブレンドが完了するための時間の長さに影響するであろう。ブレンド時間は４から６時間までで異なっていてよい。それぞれの構成要素に関して理想的な温度は、理想的なブレンディングに関して摂氏２２〜３０度である。これをブレンドしている間に、メチルイソブチルケトン類、溶媒で活性化した芳香剤および溶媒で活性化した染料に関する第２ブレンドを、もっと小さい高速の密閉式ブレンダー中で製造し、次いで主なブレンドに添加する。
【００２６】
ミネラルスピリットは合成スルホン酸カルシウム類とおおよそ７０／３０の比率で、ブレンドの初期の段階においてブレンドされて、第３ブレンドを生成するであろう。（用いられるミネラルスピリットは、より前で述べた好ましい百分率からのものであろう。）次いでこの第３ブレンド、または合成スルホン酸カルシウム類を欠くミネラルスピリット単独を、残りの成分と一緒に第１ブレンドに添加することができ、構成要素が完全にブレンドされて調和した液体になったように見えるまで攪拌機を動かす。
【００２７】
好ましいブレンド設備
本プロセスの順序は、一連のブレンディングおよびホールディングタンクを含み、そこで製品の重量を量り、次いで安定した流れおよび圧力を維持するための制御バルブを通してポンプで送ることができる。ブレンディングは、製品の蒸発（喪失）を低減し、隠されていない火花への露出を防ぐために密封されたタンクの中で実施されるべきである。ブレンディング設備は、高速または低速ブレンディング装置の組み合わせによるものであることができる。タンクの大きさまたは体積は、ブレンドにとって決定的に重要ではない。
【００２８】
本発明の万能な用途
本製品は、特定の使用法に従って適用された際にゴルフのルールに従うその承認を決定するための評価のために、ＵＳＧＡおよび全英ゴルフ協会（Ｒｏｙａｌ  ａｎｄ  ｔｈｅ  Ｒ＆Ａ  Ｇｏｌｆ  Ａｓｓｏｃｉａｔｉｏｎ）に機密条件の下で提出されている。ＵＳＧＡおよび全英ゴルフ協会は両方とも、本製品は”ゴルフのルールの下で許可された”、”ゴルフのルールの下で差し支えない”（ＵＳＧＡの決定、２００７−４６）、および”ゴルフのルールに従う”（Ｒ＆Ａの決定、参照番号ＥＳ２００７−０８４１）と決定した。本発明は、クラブフェースに適用された際に、土がつかないこと、天候／水耐性およびクリーニングの容易さを示した。
【００２９】
実験的試験の手順
本製品はゴルフの分野に特有のものであるため、クラブ上での製品の効果を実験的に試験するためには、ゴルフコースまたはドライビング距離において実際に試験する以外には限られた方法しか存在しない。製品の試料を試験に投入し、低減されたサイドスピンおよび増大されたバックスピンにより成し遂げられた一貫して増大された距離を示す注目すべき結果が得られた。
【００３０】
実験的試験の結果
結果を測定するための既知のＡＳＴＭ−Ｄ試験プロトコルが存在しないため、本発明者は距離についてのゴルフィングおよびボールのドライビングの実際の結果を頼らなければならなかった。ＵＳＧＡおよび全英ゴルフ協会による決定に加えて、結果は製品がゴルフのスコアを下げることについて有することができる、および有するであろう前向きな影響を実証した。
【００３１】
この実験的試験は、今日一般に大多数のゴルファーが経験している好ましくないサイドスピンを劇的に低減する本発明の能力を実証した。
本発明の特定の好ましい特徴のみを説明し、記述したが、多くの修正、変更および置換が当業者に思い浮かぶであろう。従って、添付した特許請求の範囲が、本発明の真の精神の範囲内に入る全てのその修正および変更を含むことを意図していることが理解されるべきである。
【手続補正書】
【提出日】平成20年10月16日(2008.10.16)
【手続補正１】
【補正対象書類名】特許請求の範囲
【補正対象項目名】全文
【補正方法】変更
【補正の内容】
【特許請求の範囲】
【請求項１】
アルファ−オレフィン類；
低臭芳香族溶媒；ならびに
水素異性化された高い基油およびＨＴ厳しく水素化分解された基油からなる基油グループから選択される少なくとも１種類の基油
を含む、距離を向上させゴルフのスコアを下げるための万能合成ゴルフクラブクリーナーおよび保護剤であって、
前記アルファ−オレフィン類が、それの５〜３０重量パーセントを構成し；
前記低臭芳香族溶媒が、それの２〜２５重量パーセントを構成し；および
前記の少なくとも１種類の基油が、それの７〜３５重量パーセントを構成し；
前記重量百分率は互いに相対的に比例して特定される、万能合成ゴルフクラブクリーナーおよび保護剤。
【請求項２】
さらに水素化脱硫を受けた低引火ミネラルスピリットを含む、請求項１に記載の万能合成ゴルフクラブクリーナーおよび保護剤。
【請求項３】
さらにスルホン酸カルシウム類を含む、請求項２に記載の万能合成ゴルフクラブクリーナーおよび保護剤。
【請求項４】
さらにメチル−イソブチルケトン類；および溶媒で活性化した芳香剤を含む、請求項２に記載の万能合成ゴルフクラブクリーナーおよび保護剤。
【請求項５】
さらに溶媒で活性化した染料を含む、請求項４に記載の万能合成ゴルフクラブクリーナーおよび保護剤。
【請求項６】
さらにメチル−イソブチルケトン類；および溶媒で活性化した芳香剤を含む、請求項３に記載の万能合成ゴルフクラブクリーナーおよび保護剤。
【請求項７】
さらに溶媒で活性化した染料を含む、請求項６に記載の万能合成ゴルフクラブクリーナーおよび保護剤。
【請求項８】
さらに少なくとも１種類のフッ素添加剤を含む、請求項４に記載の万能合成ゴルフクラブクリーナーおよび保護剤。
【請求項９】
さらに少なくとも１種類のフッ素添加剤を含む、請求項５に記載の万能合成ゴルフクラブクリーナーおよび保護剤。
【請求項１０】
さらに少なくとも１種類のフッ素添加剤を含む、請求項６に記載の万能合成ゴルフクラブクリーナーおよび保護剤。
【請求項１１】
さらに少なくとも１種類のフッ素添加剤を含む、請求項７に記載の万能合成ゴルフクラブクリーナーおよび保護剤。
【請求項１２】
請求項５に記載の万能合成ゴルフクラブクリーナーおよび保護剤であって：
前記の溶媒で活性化した染料がポリマー色形成化合物のアルコール（ＮＡＨＡ）溶液を含み；
前記の溶媒で活性化した芳香剤がアルコール芳香エッセンス（ＨＡまたはＮＡＨＡ）溶液を含む、万能合成ゴルフクラブクリーナーおよび保護剤。
【請求項１３】
請求項７に記載の万能合成ゴルフクラブクリーナーおよび保護剤であって：
前記の溶媒で活性化した染料がポリマー色形成化合物のアルコール（ＮＡＨＡ）溶液を含み；
前記の溶媒で活性化した芳香剤がアルコール芳香エッセンス（ＨＡまたはＮＡＨＡ）溶液を含む、万能合成ゴルフクラブクリーナーおよび保護剤。
【請求項１４】
請求項２に記載の万能合成ゴルフクラブクリーナーおよび保護剤であって、
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；
前記低引火ミネラルスピリットが、それの１５〜６０重量パーセントを構成し；
前記重量百分率は互いに相対的に比例して特定される、万能合成ゴルフクラブクリーナーおよび保護剤。
【請求項１５】
請求項３に記載の万能合成ゴルフクラブクリーナーおよび保護剤であって、
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；
前記低引火ミネラルスピリットが、それの１５〜６０重量パーセントを構成し；
前記スルホン酸カルシウム類が、それの０．０５〜１．２５重量パーセントを構成し；
前記重量百分率は互いに相対的に比例して特定される、万能合成ゴルフクラブクリーナーおよび保護剤。
【請求項１６】
請求項４に記載の万能合成ゴルフクラブクリーナーおよび保護剤であって、
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；および
前記低引火ミネラルスピリットが、それの１５〜６０重量パーセントを構成し；
前記メチル−イソブチルケトン類が、それの３．０〜２５重量パーセントを構成し；
前記の溶媒で活性化した芳香剤が、それの０．００１〜０．００５重量パーセントを構成し；
前記重量百分率は互いに相対的に比例して特定される、万能合成ゴルフクラブクリーナーおよび保護剤。
【請求項１７】
請求項５に記載の万能合成ゴルフクラブクリーナーおよび保護剤であって、
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；
前記低引火ミネラルスピリットが、それの１５〜６０重量パーセントを構成し；
前記メチル−イソブチルケトン類が、それの３．０〜２５重量パーセントを構成し；
前記の溶媒で活性化した芳香剤が、それの０．００１〜０．００５重量パーセントを構成し；
前記の溶媒で活性化した染料が、それの０．００２〜０．００５重量パーセントを構成し；
前記重量百分率は互いに相対的に比例して特定される、万能合成ゴルフクラブクリーナーおよび保護剤。
【請求項１８】
請求項６に記載の万能合成ゴルフクラブクリーナーおよび保護剤であって、
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；
前記低引火ミネラルスピリットが、それの１５〜６０重量パーセントを構成し；
前記スルホン酸カルシウム類が、それの０．０５〜１．２５重量パーセントを構成し；
前記メチル−イソブチルケトン類が、それの３．０〜２５重量パーセントを構成し；
前記の溶媒で活性化した芳香剤が、それの０．００１〜０．００５重量パーセントを構成し；
前記重量百分率は互いに相対的に比例して特定される、万能合成ゴルフクラブクリーナーおよび保護剤。
【請求項１９】
請求項７に記載の万能合成ゴルフクラブクリーナーおよび保護剤であって、
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；
前記低引火ミネラルスピリットが、それの１５〜６０重量パーセントを構成し；
前記スルホン酸カルシウム類が、それの０．０５〜１．２５重量パーセントを構成し；
前記メチル−イソブチルケトン類が、それの３．０〜２５重量パーセントを構成し；
前記の溶媒で活性化した芳香剤が、それの０．００１〜０．００５重量パーセントを構成し；
前記の溶媒で活性化した染料が、それの０．００２〜０．００５重量パーセントを構成し；
前記重量百分率は互いに相対的に比例して特定される、万能合成ゴルフクラブクリーナーおよび保護剤。
【請求項２０】
請求項８に記載の万能合成ゴルフクラブクリーナーおよび保護剤であって、
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し； 
前記低引火ミネラルスピリットが、それの１５〜６０重量パーセントを構成し；
前記メチル−イソブチルケトン類が、それの３．０〜２５重量パーセントを構成し； 
前記の溶媒で活性化した芳香剤が、それの０．００１〜０．００５重量パーセントを構成し；および
前記の少なくとも１種類のフッ素添加剤が、それの０．０１２〜０．０９７重量パーセントを構成し；
前記重量百分率は互いに相対的に比例して特定される、万能合成ゴルフクラブクリーナーおよび保護剤。
【請求項２１】
請求項９に記載の万能合成ゴルフクラブクリーナーおよび保護剤であって、
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；
前記低引火ミネラルスピリットが、それの１５〜６０重量パーセントを構成し；
前記メチル−イソブチルケトン類が、それの３．０〜２５重量パーセントを構成し；
前記の溶媒で活性化した芳香剤が、それの０．００１〜０．００５重量パーセントを構成し；
前記の溶媒で活性化した染料が、それの０．００２〜０．００５重量パーセントを構成し；
前記の少なくとも１種類のフッ素添加剤が、それの０．０１２〜０．０９７重量パーセントを構成し；
前記重量百分率は互いに相対的に比例して特定される、万能合成ゴルフクラブクリーナーおよび保護剤。
【請求項２２】
請求項１０に記載の万能合成ゴルフクラブクリーナーおよび保護剤であって、
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；
前記低引火ミネラルスピリットが、それの１５〜６０重量パーセントを構成し；
前記スルホン酸カルシウム類が、それの０．０５〜１．２５重量パーセントを構成し；
前記メチル−イソブチルケトン類が、それの３．０〜２５重量パーセントを構成し；
前記の溶媒で活性化した芳香剤が、それの０．００１〜０．００５重量パーセントを構成し；
前記の少なくとも１種類のフッ素添加剤が、それの０．０１２〜０．０９７重量パーセントを構成し；
前記重量百分率は互いに相対的に比例して特定される、万能合成ゴルフクラブクリーナーおよび保護剤。
【請求項２３】
請求項１１に記載の万能合成ゴルフクラブクリーナーおよび保護剤であって、
前記アルファ−オレフィン類が、それの５〜３０重量パーセントを構成し；
前記低臭芳香族溶媒が、それの２〜２５重量パーセントを構成し；
前記の少なくとも１種類の基油が、それの７〜３５重量パーセントを構成し；
前記低引火ミネラルスピリットが、それの１５〜６０重量パーセントを構成し；
前記スルホン酸カルシウム類が、それの０．０５〜１．２５重量パーセントを構成し；
前記メチル−イソブチルケトン類が、それの３．０〜２５重量パーセントを構成し；
前記の溶媒で活性化した芳香剤が、それの０．００１〜０．００５重量パーセントを構成し；
前記の溶媒で活性化した染料が、それの０．００２〜０．００５重量パーセントを構成し；
前記の少なくとも１種類のフッ素添加剤が、それの０．０１２〜０．０９７重量パーセントを構成する、万能合成ゴルフクラブクリーナーおよび保護剤。
【請求項２４】
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；ならびに
前記ミネラルスピリットを前記第１ブレンドに添加する、
ことを含む方法により製造される、請求項２に記載の万能合成ゴルフクラブクリーナーおよび保護剤。
【請求項２５】
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記ミネラルスピリットおよび前記スルホン酸カルシウム類を別にブレンドし、それにより第３ブレンドを製造し；ならびに
前記第３ブレンドを前記第１ブレンドに添加する、
ことを含む方法により製造される、請求項３に記載の万能合成ゴルフクラブクリーナーおよび保護剤。
【請求項２６】
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記メチル−イソブチルケトン類および前記の溶媒で活性化した芳香剤を別にブレンドし、それにより第２ブレンドを製造し；ならびに
前記第２ブレンドおよび前記ミネラルスピリットを前記第１ブレンドに添加する、
ことを含む方法により製造される、請求項４に記載の万能合成ゴルフクラブクリーナーおよび保護剤。
【請求項２７】
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記メチル−イソブチルケトン類、前記の溶媒で活性化した芳香剤、および前記の溶媒で活性化した染料を別にブレンドし、それにより第２ブレンドを製造し；ならびに
前記第２ブレンドおよび前記ミネラルスピリットを前記第１ブレンドに添加する、
ことを含む方法により製造される、請求項５に記載の万能合成ゴルフクラブクリーナーおよび保護剤。
【請求項２８】
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記メチル−イソブチルケトン類および前記の溶媒で活性化した芳香剤を別にブレンドし、それにより第２ブレンドを製造し；
前記ミネラルスピリットおよび前記スルホン酸カルシウム類を別にブレンドし、それにより第３ブレンドを製造し；ならびに
前記第２および前記第３ブレンドを前記第１ブレンドに添加する、
ことを含む方法により製造される、請求項６に記載の万能合成ゴルフクラブクリーナーおよび保護剤。
【請求項２９】
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記メチル−イソブチルケトン類、前記の溶媒で活性化した芳香剤、および前記の溶媒で活性化した染料を別にブレンドし、それにより第２ブレンドを製造し；
前記ミネラルスピリットおよび前記スルホン酸カルシウム類を別にブレンドし、それにより第３ブレンドを製造し；ならびに
前記第２および前記第３ブレンドを前記第１ブレンドに添加する、
ことを含む方法により製造される、請求項７に記載の万能合成ゴルフクラブクリーナーおよび保護剤。
【請求項３０】
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記メチル−イソブチルケトン類、前記の溶媒で活性化した芳香剤、および前記の少なくとも１種類のフッ素添加剤を別にブレンドし、それにより第２ブレンドを製造し；ならびに
前記第２ブレンドおよび前記ミネラルスピリットを前記第１ブレンドに添加する、
ことを含む方法により製造される、請求項８に記載の万能合成ゴルフクラブクリーナーおよび保護剤。
【請求項３１】
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記メチル−イソブチルケトン類、前記の溶媒で活性化した芳香剤、前記の溶媒で活性化した染料、および前記の少なくとも１種類のフッ素添加剤を別にブレンドし、それにより第２ブレンドを製造し；ならびに
前記第２ブレンドおよび前記ミネラルスピリットを前記第１ブレンドに添加する、
ことを含む方法により製造される、請求項９に記載の万能合成ゴルフクラブクリーナーおよび保護剤。
【請求項３２】
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記メチル−イソブチルケトン類、前記の溶媒で活性化した芳香剤、および前記の少なくとも１種類のフッ素添加剤を別にブレンドし、それにより第２ブレンドを製造し；
前記ミネラルスピリットおよび前記スルホン酸カルシウム類を別にブレンドし、それにより第３ブレンドを製造し；ならびに
前記第２および前記第３ブレンドを前記第１ブレンドに添加する、
ことを含む方法により製造される、請求項１０に記載の万能合成ゴルフクラブクリーナーおよび保護剤。
【請求項３３】
前記アルファ−オレフィン類、前記低臭芳香族溶媒、および前記の少なくとも１種類の基油を、ブレンドが見た目に全く分離しない調和した混合物になるまでブレンドし、それにより第１ブレンドを製造し；
前記メチル−イソブチルケトン類、前記の溶媒で活性化した芳香剤、前記の溶媒で活性化した染料、および前記の少なくとも１種類のフッ素添加剤を別にブレンドし、それにより第２ブレンドを製造し；
前記ミネラルスピリットおよび前記スルホン酸カルシウム類を別にブレンドし、それにより第３ブレンドを製造し；ならびに
前記第２および前記第３ブレンドを前記第１ブレンドに添加する、
ことを含む方法により製造される、請求項１１に記載の万能合成ゴルフクラブクリーナーおよび保護剤。
【請求項３４】
アルファ−オレフィン類、低臭芳香族溶媒、および少なくとも１種類の基油を、ブレンドが見た目に全く分離しない調和した混合物になるまでブレンドし、それにより第１ブレンドを製造し；ならびに
水素化脱硫を受けたミネラルスピリットを前記第１ブレンドに添加する、
ことを含む、万能合成ゴルフクラブクリーナーおよび保護剤を製造する方法。
【請求項３５】
さらに
前記ミネラルスピリットおよびスルホン酸カルシウム類を別にブレンドし、それにより第３ブレンドを製造し；ならびに
前記第３ブレンドを前記第１ブレンドに添加する、
ことを含む、請求項３４に記載の方法。
【請求項３６】
さらに
メチル−イソブチルケトン類および溶媒で活性化した芳香剤を別にブレンドし、それにより第２ブレンドを製造し；ならびに
前記第２ブレンドおよびミネラルスピリットを前記第１ブレンドに添加する、
ことを含む、請求項３４に記載の方法。
【請求項３７】
さらに
メチル−イソブチルケトン類、溶媒で活性化した芳香剤、および溶媒で活性化した染料を別にブレンドし、それにより第２ブレンドを製造し；ならびに
前記第２ブレンドおよびミネラルスピリットを前記第１ブレンドに添加する、
ことを含む、請求項３４に記載の方法。
【請求項３８】
さらに
前記ミネラルスピリットおよび前記スルホン酸カルシウム類を別にブレンドし、それにより第３ブレンドを製造し；ならびに
前記第２および第３ブレンドを前記第１ブレンドに添加する、
ことを含む、請求項３６に記載の方法。
【請求項３９】
さらに
ミネラルスピリットおよびスルホン酸カルシウム類を別にブレンドし、それにより第３ブレンドを製造し；ならびに
前記第２および第３ブレンドを前記第１ブレンドに添加する、
ことを含む、請求項３７に記載の方法。
【請求項４０】
前記メチル−イソブチルケトン類、前記の溶媒で活性化した芳香剤、および前記の少なくとも１種類のフッ素添加剤を別にブレンドし、それにより前記第２ブレンドを製造する、
ことを含む、請求項３６に記載の方法。
【請求項４１】
さらに
メチル−イソブチルケトン類、溶媒で活性化した芳香剤、溶媒で活性化した染料、および少なくとも１種類のフッ素添加剤を別にブレンドし、それにより前記第２ブレンドを製造する
ことを含む、請求項３７に記載の方法。
【請求項４２】
さらに
メチル−イソブチルケトン類、溶媒で活性化した芳香剤、および少なくとも１種類のフッ素添加剤を別にブレンドし、それにより前記第２ブレンドを製造する、
ことを含む、請求項３８に記載の方法。
【請求項４３】
さらに
メチル−イソブチルケトン類、溶媒で活性化した芳香剤、溶媒で活性化した染料、および少なくとも１種類のフッ素添加剤を別にブレンドし、それにより前記第２ブレンドを製造する
ことを含む、請求項３９に記載の方法。
【国際調査報告】
2011507601.tif 000002
2011507601.tif 000003
2011507601.tif 000004